(57)【要約】      （修正有）【課題】モバイル機器のアプリケーションインタフェースを無干渉モードへ変換する方法を提供する。【解決手段】モバイル機器のアプリケーションインタフェースを無干渉モードへ変換する方法は、モバイル機器のアプリケーションの画像に基づき、アプリケーションの制御部材と、制御部材の位置と、を認識するステップ２０１と、キャラクタ認識ユニットにより、制御部材のコンテンツ情報を認識するステップ２０２と、制御部材と、制御部材の位置と、制御部材のコンテンツ情報とを含むレイアウト記述が制御処理器により生成され、レイアウト記述がＧＵＩエンジンへ送信されるステップ２０３及び２０４と、ＧＵＩエンジンにより、アプリケーションのユーザインタフェースを無干渉モードへ再構築するステップ２０５とを含む。【選択図】図３
2014182784.tif 000002
【特許請求の範囲】
【請求項１】
モバイル機器のアプリケーションの画像に基づき、前記アプリケーションの制御部材と、前記制御部材の位置と、を認識するステップ（ａ）と、
キャラクタ認識ユニットにより、前記制御部材のコンテンツ情報を認識するステップ（ｂ）と、
前記制御部材と、前記制御部材の位置と、前記制御部材のコンテンツ情報とを含むレイアウト記述が制御処理器により生成され、前記レイアウト記述がＧＵＩエンジンへ送信されるステップ（ｃ）と、
前記ＧＵＩエンジンにより、前記アプリケーションのユーザインタフェースを無干渉モードへ再構築するステップ（ｄ）と、を含むことを特徴とするモバイル機器のアプリケーションインタフェースを無干渉モードへ変換する方法。
【請求項２】
前記キャラクタ認識ユニットは、光学文字認識方式により前記コンテンツ情報を認識することを特徴とする請求項１に記載のモバイル機器のアプリケーションインタフェースを無干渉モードへ変換する方法。
【請求項３】
前記レイアウト記述は、ＸＭＬ、ＸＡＭＬ又はテキストファイル形式により記憶されることを特徴とする請求項１又は２に記載のモバイル機器のアプリケーションインタフェースを無干渉モードへ変換する方法。
【請求項４】
前記無干渉モードの形式、サイズ又は前記制御部材及び文字の個数は、特定のユーザの必要に応じて調整可能なことを特徴とする請求項１から３のいずれかに記載のモバイル機器のアプリケーションインタフェースを無干渉モードへ変換する方法。
【請求項５】
前記モバイル機器は、スマートフォン、タブレット型コンピュータ又は電子ペーパーであることを特徴とする請求項１から４のいずれかに記載のモバイル機器のアプリケーションインタフェースを無干渉モードへ変換する方法。
【請求項６】
前記モバイル機器内の前記アプリケーションがデータユニット中で無干渉モードに変換される場合、ステップ（ａ）の前に、
前記モバイル機器が前記アプリケーションの画像を情報ユニットへ送信し、ステップ（ａ）〜（ｄ）を前記情報ユニット中で実行するステップ（ａ−１）を行うことを特徴とする請求項１から５のいずれかに記載のモバイル機器のアプリケーションインタフェースを無干渉モードへ変換する方法。
【請求項７】
前記情報ユニットは、ビデオ又はオーディオ形式の情報をユーザへ提供することを特徴とする請求項６に記載のモバイル機器のアプリケーションインタフェースを無干渉モードへ変換する方法。
【請求項８】
前記モバイル機器の前記アプリケーションの画像は、ＵＳＢ、ＷｉＦｉ、ＲＦＩＤ又はＢｌｕｅｔｏｏｔｈの送信技術により、前記情報ユニットへ送信されることを特徴とする請求項６又は７に記載のモバイル機器のアプリケーションインタフェースを無干渉モードへ変換する方法。
【請求項９】
前記ステップ（ａ）中の前記モバイル機器上の前記アプリケーションの画像は、ＪＰＧ、ＢＭＰ又はＲＡＷ形式により送信されることを特徴とする請求項６から８のいずれかに記載のモバイル機器のアプリケーションインタフェースを無干渉モードへ変換する方法。
【請求項１０】
前記情報ユニットは、乗り物内に設置されることを特徴とする請求項６から９のいずれかに記載のモバイル機器のアプリケーションインタフェースを無干渉モードへ変換する方法。
【請求項１１】
前記情報ユニットは、前記乗り物内のインフォテインメントシステムであることを特徴とする請求項６から１０のいずれかに記載のモバイル機器のアプリケーションインタフェースを無干渉モードへ変換する方法。
【請求項１２】
前記乗り物は、自動車、ボート、船舶、飛行機、レジャービークル又は自動二輪車であることを特徴とする請求項１０又は１１に記載のモバイル機器のアプリケーションインタフェースを無干渉モードへ変換する方法。
【発明の詳細な説明】
【技術分野】
【０００１】
本発明は、アプリケーションインタフェースの変換に関し、特に、モバイル機器のアプリケーションインタフェースを無干渉モードへ変換する方法に関する。
【背景技術】
【０００２】
スマートフォン、ｉＰａｄ（登録商標）などのモバイル機器は、多種類のアプリケーション（ＡＰＰｓ）をダウンロードし、ユーザはモバイル機器のユーザインタフェースによりこれら多種類のアプリケーションを制御し、映像を観賞したり、フェイスブック（ｆａｃｅｂｏｏｋ）又はツイッター（ｔｗｉｔｔｅｒ）などを更新したりすることができる。
【０００３】
ユーザインタフェースのインフォテインメントシステムを備えた乗り物が徐々に増えてきており、このインフォテインメントシステムは、スクリーン、スピーカ、キーボードなど様々な部材を含む。車両製造メーカにとって、インフォテインメントシステムが提供する好適なインタフェース部材をユーザが利用できるため、モバイル機器のアプリケーションをインフォテインメントシステムでも利用できる点は大きな利点である。しかし、アプリケーションをインフォテインメントシステムへ整合させる解決方式は、例えば、ＢＭＷのｉＤｒｉｖｅ又はメルセデスベンツのＭｅｄｉａ  Ｉｎｔｅｒｆａｃｅ  Ｐｌｕｓなど、特定の車両製造メーカだけが有して共用されていない上、これらのシステムは、ソフトウェアの開発に多くの努力が必要なため、高価であった。また、車両製造メーカがこれらのアプリケーションを車両内で使用する場合、特に、運転中の走行安全性が確保できるように、僅か一部のアプリケーションだけが頻繁に使用する機能をシミュレーションすることができた。さらには、市場に新たなアプリケーションが現れる場合、車両製造メーカは、インフォテインメントシステムにおいて無干渉モードへ変換して実行できるアプリケーションを多くの時間をかけて開発しなければならなかったため、インフォテインメントシステム製品に対するエンドユーザーの満意度を高めることができなかった。
【０００４】
もう一つの最近の傾向としては、モバイル機器のアプリケーションの表示画面全体をインフォテインメントシステムへ表示することがある。例えば、Ｍｉｒｒｏｒｌｉｎｋと呼ばれる方法では、ＶＮＣ（Ｖｉｒｔｕａｌ  Ｎｅｔｗｏｒｋ  Ｃｏｍｐｕｔｉｎｇ）を基本プロトコルとして用い、スマートフォンのアプリケーションのユーザインタフェースをインフォテインメントシステムのスクリーン上に表示し、ユーザが入力したデータをモバイル機器へ送り返す。このように、ユーザは慣れた方式によりインフォテインメントシステムに表示されたアプリケーションを使用することができるが、全てのアプリケーションにより変換可能なわけではなく、認証済みのアプリケーションしかＭｉｒｒｏｒＬｉｎｋへ適用することができなかった。そのため、エンドユーザは、インフォテインメントシステムにおいて、ＭｉｒｒｏｒＬｉｎｋが認証していないアプリケーションを使用することができない。また、運転する際、注意力が分散されない安全なアプリケーションがあったとしても、ＭｉｒｒｏｒＬｉｎｋの認証を受けていないというだけで、車内で使用することはできなかった。
【０００５】
そのため、モバイル機器のアプリケーションを、乗り物内に応用する無干渉モードへ変換する方法は、ユーザが運転中にアプリケーションを使用する際、図、メニュー、及びテキスト又はイメージ形式の情報が多すぎて注意力が分散されることを防ぐように改善することが求められていた。
【発明の概要】
【発明が解決しようとする課題】
【０００６】
そのため本発明の目的は、従来技術の欠点を解決するモバイル機器のアプリケーションインタフェースを無干渉モードへ変換する方法を提供することにある。
【課題を解決するための手段】
【０００７】
上記課題を解決するために、本発明の第１の形態によれば、モバイル機器のアプリケーションの画像に基づき、前記アプリケーションの制御部材と、前記制御部材の位置と、を認識するステップ（ａ）と、キャラクタ認識ユニットにより、前記制御部材のコンテンツ情報を認識するステップ（ｂ）と、前記制御部材と、前記制御部材の位置と、前記制御部材のコンテンツ情報とを含むレイアウト記述が制御処理器により生成され、前記レイアウト記述がＧＵＩエンジンへ送信されるステップ（ｃ）と、前記ＧＵＩエンジンにより、前記アプリケーションのユーザインタフェースを無干渉モードへ再構築するステップ（ｄ）と、を含むことを特徴とするモバイル機器のアプリケーションインタフェースを無干渉モードへ変換する方法が提供される。
【０００８】
前記キャラクタ認識ユニットは、光学文字認識方式により前記コンテンツ情報を認識することが好ましい。
【０００９】
前記レイアウト記述は、ＸＭＬ、ＸＡＭＬ又はテキストファイル形式により記憶されることが好ましい。
【００１０】
前記無干渉モードの形式、サイズ又は前記制御部材及び文字の個数は、特定のユーザの必要に応じて調整可能なことが好ましい。
【００１１】
前記モバイル機器は、スマートフォン、タブレット型コンピュータ又は電子ペーパーであることが好ましい。
【００１２】
前記モバイル機器内の前記アプリケーションがデータユニット中で無干渉モードに変換される場合、ステップ（ａ）の前に、前記モバイル機器が前記アプリケーションの画像を情報ユニットへ送信し、ステップ（ａ）〜（ｄ）を前記情報ユニット中で実行するステップ（ａ−１）を行うことが好ましい。
【００１３】
前記情報ユニットは、ビデオ又はオーディオ形式の情報をユーザへ提供することが好ましい。
【００１４】
前記モバイル機器の前記アプリケーションの画像は、ＵＳＢ、ＷｉＦｉ、ＲＦＩＤ又はＢｌｕｅｔｏｏｔｈの送信技術により、前記情報ユニットへ送信されることが好ましい。
【００１５】
前記ステップ（ａ）中の前記モバイル機器上の前記アプリケーションの画像は、ＪＰＧ、ＢＭＰ又はＲＡＷ形式により送信されることが好ましい。
【００１６】
前記情報ユニットは、乗り物内に設置されることが好ましい。
【００１７】
前記情報ユニットは、前記乗り物内のインフォテインメントシステムであることが好ましい。
【００１８】
前記乗り物は、自動車、ボート、船舶、飛行機、レジャービークル又は自動二輪車であることが好ましい。
【発明の効果】
【００１９】
本発明のモバイル機器のアプリケーションインタフェースを無干渉モードへ変換する方法は、モバイル機器に無干渉モードのアプリケーションを提供し、アプリケーションの煩雑なインタフェースにより影響され、ユーザの注意力が分散されることを防ぐことができる上、ユーザは、情報ユニットからユーザのモバイル機器のアプリケーションの情報を取得し、アプリケーションを無干渉モードで表示することができる。
【図面の簡単な説明】
【００２０】
【図１】図１は、本発明の第１実施形態に係るモバイル機器のアプリケーションインタフェースを無干渉モードへ変換する方法において必要な操作手続きを示すブロック図である。
【図２】図２は、本発明の第２実施形態に係るモバイル機器のアプリケーションインタフェースを無干渉モードへ変換する方法においてモバイル機器のアプリケーションを情報ユニット内で実行する無干渉モードへの変換に必要な操作手続きを示すブロック図である。
【図３】図３は、図１の操作ステップを示す流れ図である。
【図４】図４は、本発明の一実施形態に係るモバイル機器のアプリケーションインタフェースを無干渉モードへ変換する方法のモバイル機器のアプリケーションの画像分析を示すブロック図である。
【図５】図５は、本発明の一実施形態に係るモバイル機器のアプリケーションを情報ユニットの無干渉モードのユーザインタフェースへ変換するときの状態を示すブロック図である。
【発明を実施するための形態】
【００２１】
以下、本発明の実施形態について図に基づいて説明する。なお、これによって本発明が限定されるものではない。
【００２２】
本発明の目的は、変換モバイル機器のアプリケーションを無干渉モードにすることにあり、ここで技術用語「無干渉モード」とは、アプリケーションの写真、画像又は複雑なメニューが省略され、文字及び簡単なボタン、入力ボックス、テキスト・フィールドだけが無干渉モードのインタフェースに表示され、アプリケーションの機能が、モバイル機器が元々有するモードと同じであるモードを表す。本発明の無干渉モードは、ユーザの特定ニーズに応じ、タイプ、寸法、又は情報ユニットに表示する制御部材及び文字の個数を調整することができる。ユーザが行っている作業（例えば、運転、監視、機器制御など）へ多くの注意力を向け、モバイル機器のアプリケーションの複雑なインタフェースによりユーザの注意力が分散されることを防ぐために、ユーザはアプリケーションの無干渉モードを使用することが好ましい。モバイル機器のアプリケーションを無干渉モードへ変換する方法は、モバイル機器又は他の機器（例えば、情報ユニット）において実行することができる。
【００２３】
（第１実施形態）
図１を参照する。図１は、本発明の第１実施形態に係るモバイル機器のアプリケーションインタフェースを無干渉モードへ変換する方法において必要な操作手続きを示すブロック図である。
【００２４】
図１に示すように、本発明の方法が使用するシステム１０（以下、「ＡＰＰコンバータシステム」又は「ＡＰＰコンバータ」という）は、モバイル機器２０内に含まれる。ここでモバイル機器２０（手持ち式機器、手持ち式パソコン又はパームサイズのパソコンでもよい）は、小型のパソコン装置を表す。一般にモバイル機器２０は、タッチ入力可能な表示スクリーン及び／又は小型のキーボードを含むとともに、オペレーティングシステムを有し、様々な種類のアプリケーションソフトウェア２２（以下「Ａｐｐ２２」と称する）を実行することができる。大部分のモバイル機器は、インターネット又はその他Ｂｌｕｅｔｏｏｔｈ（登録商標）機能を備えた装置と通信することができるように、ＷｉＦｉ（登録商標）、「Ｂｌｕｅｔｏｏｔｈ」及びＧＰＳ機能を備えている。このような装置は、カメラ、メディアプレーヤなど、ビデオ又は音楽ファイルを実行する機能を備え、モバイル機器２０は、リチウム電池など安定した電源を有する。一般によく見かけるモバイル機器は、例えば、スマートフォン、モバイルコンピュータ、タブレット型コンピュータ、パーソナルデジタルアシスタント、携帯型メディアプレーヤ、デジタルスチルカメラ、電子ペーパーなどを含むがこれらだけに限定されるわけではない。
【００２５】
図１を再び参照する。図１に示すように、本発明の第１実施形態に係るモバイル機器のアプリケーションインタフェースを無干渉モードへ変換する方法のシステム１０は、画像認識ユニット１１、キャラクタ認識ユニット１２、制御処理器１３、ＧＵＩエンジン１４及び表示装置１５を含み、２つのサブシステムに分けられる。第１のサブシステムは、モバイル機器２０の元々のＡＰＰ２２を分析するために用いる上、画像認識ユニット１１、キャラクタ認識ユニット１２及び制御処理器１３を含む。第２のサブシステムは、ＧＵＩエンジン１４と、ＡＰＰ２２を無干渉モードで再構築してモバイル機器２０に表示する表示装置１５と、を含む。
【００２６】
図１を再び参照する。図１に図３を併せて参照し、操作手順を以下説明する。図３は、図１の操作ステップを示す流れ図２００である。第１ステップにおいて、画像認識ユニット１１は、モバイル機器２０のＡＰＰ２２の画像に基づき、ＡＰＰ２２内の制御部材と、制御部材の位置と、を認識する（ステップ２０１）。画像分析を用いることにより、モバイル機器２０のＡＰＰ２２は、インタフェース上の全ての制御部材（ボタン、入力ボックス、テキスト・フィールドなど）を認識し、オリジナルのオペレーティングシステムと関係の無い設定様式を説明する（図４参照）。画像分析技術とは、主にデジタル画像処理技術によりデジタル画像を認識して、画像から意味のある情報を抽出する技術である。画像分析技術は、例えば、デジタルカメラの顔認識機能など、すでに周知の技術であり広く応用されている。基本的に、画像認識ユニット１１は、グラフィカルアルゴリズムにより構成され、バーコードタグを読み取るような簡単なことから、人の顔を認識する難易度が高いようなことまで行うことができる。このようにＡｐｐ２２内の制御部材１１１及びその位置１２１は、モバイル機器２０内のＡｐｐ２２が元々有するユーザの画像２１から抽出することができる。
【００２７】
第２ステップにおいて、制御部材１１１上のコンテンツ情報１３１を取得するために、制御部材１１１及びその位置１２１をキャラクタ認識ユニット１２へ伝送する。ここで本明細書中の技術用語「コンテンツ情報」とは、制御部材１１１の文、文字、又は制御部材１１１上のテキストコンテンツと関係があるが、上述の種類のコンテンツ情報だけに限定されるわけではない。キャラクタ認識ユニット１２は、光学文字認識（ＯＣＲ）などの文字認識技術により、制御部材１１１のコンテンツ情報１３１を分析する（ステップ２０２）。ＯＣＲは、手書き、タイプ又は印刷されたテキストのスキャン画像を機械式又は電子式により文字コード（ＡＳＣＩＩコードなど）に変換することができる。
【００２８】
第３ステップにおいて、制御処理器１３により生成されたレイアウト記述１４１は、制御部材１１１と、制御部材１１１の位置１２１と、制御部材１１１のコンテンツ情報１３１とを含む（ステップ２０３）。制御処理器１３はモバイル機器２０中に含まれる。さらに詳細には、制御処理器１３は、モバイル機器２０上のプロセスを制御するスレッドにより構成される。さらに詳細には、レイアウト記述１４１は、ＸＭＬ、ＸＡＭＬ、テキストファイルなどでモバイル機器２０中に記憶されてもよい。レイアウト記述１４１が生成された後、システム１０中の第２のサブシステムへ伝送してＡｐｐ２２を再構築し、無干渉モード下のユーザインタフェース１５１において、モバイル機器２０の表示装置１５により表示する。レイアウト記述１４１は、ＧＵＩエンジン１４へ自動的に伝送される（ステップ２０４）。ＧＵＩエンジン１４は、Ａｐｐ２２のユーザインタフェースを再構築し、例えば、フォーム、サイズ、各スクリーンページ中の制御部材１１１の最大個数など、特定のユーザの必要に応じ、注意力が分散されずに操作することができるようにユーザインタフェースを調整してもよい。図５を参照する。図５に示すように、モバイル機器２０のオリジナルのＡｐｐ２２（フェイスブックを例にとり説明する）インタフェースは、図５の左側に示すように、Ａｐｐ２２は、本発明の方法により無干渉モードに変換した後、モバイル機器２０の表示装置１５上に表示される（図５の右側に示す）。図５に示すように、Ａｐｐ２２の無干渉モードは、オリジナルモードと同じ機能を依然として有するが、複雑な図、写真及びメニューが省略されている。
【００２９】
（第２実施形態）
図２を参照する。図２は、本発明の第２実施形態に係るモバイル機器のアプリケーションインタフェースを無干渉モードへ変換する方法においてモバイル機器のアプリケーションを情報ユニット内で実行する無干渉モードへの変換に必要な操作手続きを示すブロック図である。図２に示すように、本発明の第２実施形態において、モバイル機器２０のＡｐｐ２２を情報ユニット内の無干渉モードへ変換させる。第２実施形態のシステム１０は、情報ユニット中に含まれ、モバイル機器２０が情報ユニットに接続されている点が第１実施形態と異なる。ここで本明細書中の技術用語「情報ユニット」とは、ビデオ／オーディオ形式の情報をユーザへ与える装置を表す。第２実施形態において、情報ユニットは、操作システム及び実行可能な多種類のアプリケーションを含む。第２実施形態において、情報ユニットは、乗り物に設置するインフォテインメントシステムに含まれ、本明細書中の技術用語「乗り物」には、自動車、ボート、船舶、飛行機、レジャービークル及び自動二輪車が含まれるがこれらだけに限定されるわけではない。
【００３０】
本発明の第２実施形態に係るモバイル機器のアプリケーションインタフェースを無干渉モードへ変換する方法は、モバイル機器２０のＡｐｐ２２の画像２１を情報ユニット内のシステム１０へ伝送するステップを含む。このステップにおいて、従来の整合技術によりモバイル機器２０のインタフェース上の画像２１（例えば、ＲｅａｌＶＮＣ）を撮影したり投影したりする。ＲｅａｌＶＮＣとは、代理サーバ又は中央サーバが必要無いクロスプラットフォーム遠隔アクセス及び制御ソフトウェアのことである。この方法において、モバイル機器２０は、ＲｅａｌＶＮＣのサーバと見なされ、モバイル機器２０のＡｐｐ２２上の画像２１を伝送し、情報ユニットは、画像２１を受信するＲｅａｌＶＮＣのビューアと見なされる。画像２１は、従来の送信技術（例えば、ＵＳＢ、ＷｉＦｉ、ＲＦＩＤ（Ｒａｄｉｏ  Ｆｒｅｑｕｅｎｃｙ  Ｉｄｅｎｔｉｆｉｃａｔｉｏｎ）、「Ｂｌｕｅｔｏｏｔｈ」などを含むが、これらだけに限定されるわけではない）により、モバイル機器２０から情報ユニットのシステム１０へ送信する。より詳細には、画像２１はユーザインタフェースであるか、或いはモバイル機器２０のインタフェース上のＡｐｐ２２のフレームワークであり、画像２１は、ＪＰＧ、ＢＭＰ、ＲＡＷ又はその他の形式のフォーマットである画像ファイルである。画像２１が情報ユニット中のシステム１０へ送信されると、図３と同様の処理ステップを実行するが、全てのステップは、情報ユニットのシステム１０中で実行される。最終的に生成される無干渉モードは、図５に示すように、第１実施形態と同じであり、アプリケーションの無干渉モードがオリジナルのモバイル機器２０上に表示されるのではなく、情報ユニットの表示装置１５で表示される点が異なる。Ａｐｐ２２の無干渉モードは、オリジナルのモードと同じ機能を依然として有するが、複雑な図、写真及びメニューが省略されている。
【００３１】
その上、無干渉モードのＡｐｐ２２上の制御部材１１１のユーザ操作１６１に対して、既に知られた制御部材１１１の位置１２１を直接位置決めさせることにより、ユーザ操作１６１又はユーザのログイン（表示装置１５がタッチスクリーンである場合、ユーザがスクリーンにタッチしてコマンドを与えると、ユーザ操作１６１がタッチイベントである）により、オリジナルのＡｐｐ２２へ返信される。即ち、無干渉モードのＡｐｐ２２により、ユーザ操作１６１を受信すると、ＧＵＩエンジン１４により制御処理器１３へユーザ操作１６１を送信する。制御処理器１３は、既に知られた制御部材１１１の位置１２１に基づいて、ユーザ操作１６１をアプリケーション上で位置決めさせる。そのため、ユーザ操作１６１は、続いてモバイル機器２０が元々有する表示装置上にユーザ操作１７１に変換される。情報ユニットは、ＲｅａｌＶＮＣのビューアとして使用し、続いてユーザ操作１７１をＲｅａｌＶＮＣのサーバのモバイル機器２０上へ返信する。モバイル機器２０のＡｐｐ２２は、ユーザ操作１７１が表示する制御コマンドに基づき、制御コマンドの全ての反応をモバイル機器２０で表示し、新たな画像２１を生成する。この画像２１は、情報ユニットへ再び送信される。
【００３２】
上述したことから分かるように、本発明のモバイル機器のアプリケーションインタフェースを無干渉モードへ変換する方法は、画像認識ユニット１１により画像分析を行い、キャラクタ認識ユニット１２によりキャラクター認識を行い、制御部材１１１と、制御部材１１１の位置１２１と、制御部材１１１のコンテンツ情報１３１と、を抽出してＡｐｐ２２のユーザインタフェースを再構築し、Ａｐｐ２２を無干渉モードに変換する。そのため、様々なタイプのＡｐｐ２２を無干渉モードへ変換することができる。
【００３３】
本発明の方法は、モバイル機器上のＡｐｐ２２を乗り物内の情報ユニットに変換し、本発明は情報ユニットのシステム１０内で完成させることができ、従来の通信技術及び整合技術を利用することができるため、モバイル機器２０に対し何かを付加的に取り付ける必要がない。
【００３４】
本発明の方法は、例えば、自動車産業、消費者用電子製品、家庭用電子製品など、様々な産業に応用することができる。本発明の方法は、プログラミングされたソフトウェア（例えばアプリケーション）にしてもよいし、モバイル機器又はその他本発明のＡＰＰコンバータシステムを含む装置へ適用し、コンバータ装置内のＡｐｐ２２を無干渉モードにし、ユーザが作業を行う際、Ａｐｐ２２を装置に適用してもよい。
【００３５】
当該分野の技術を熟知するものが理解できるように、本発明の好適な実施形態を前述の通り開示したが、これらは決して本発明を限定するものではない。本発明の主旨と領域を逸脱しない範囲で各種の変更や修正を加えることができる。従って、本発明の特許請求の範囲は、このような変更や修正を含めて広く解釈されるべきである。
【符号の説明】
【００３６】
１０  システム
１１  画像認識ユニット
１２  キャラクタ認識ユニット
１３  制御処理器
１４  ＧＵＩエンジン
１５  表示装置
２０  モバイル機器
２１  画像
２２  Ａｐｐ
１１１  制御部材
１２１  位置
１３１  コンテンツ情報
１４１  レイアウト記述
１５１  ユーザインタフェース
１６１  ユーザ操作
１７１  ユーザ操作
２００  流れ図
２０１〜２０５  ステップ
【図１】
2014182784.tif 000003
【図２】
2014182784.tif 000004
【図３】
2014182784.tif 000005
【図４】
2014182784.tif 000006
【図５】
2014182784.tif 000007